(57)【要約】  注ぐことができる製品を含むように適合されており、包装材料（２）のシートから得られるパッケージ（１）のための開封装置（３）が説明される。包装材料（２）は、少なくとも第１の層（４）と第２の層（５）とを備え、第１の層（４）を貫通して形成され、第２の層（５）のシートカバー部分（１０）によって覆われている貫通穴を有する。開封装置（３）は、シートカバー部分（１０）の第１の側（１０ａ）に加えられた第１の表面（１１ａ）を有する壁部分（１１）を備える。壁部分（１１）は、シートカバー部分（１０）とともに、パッケージ（１）の使用者が引き裂き可能な部分（１５）を画定する。壁部分（１１）は、壁部分（１１）の厚さの一部に形成された直線状弱化スロット（１７）を備え、第１の表面（１１ａ）の反対側の、壁部分（１１）の第２の表面（１ｉｂ）で開いている。直線状弱化スロット（１７）は、第１の側（１０ａ）とともに、使用者が引き裂き可能な部分（１５）の直線状弱化領域（１８、１８ａ）の境界を定める。開封装置（３）は、使用時に、直線状弱化領域（１８、１８ａ）に沿って使用者が引き裂き可能な部分（１５）を引き裂くように引っ張られるように適合された少なくとも１つの引張部材（２０）をさらに備える。開封装置（３）は、シートカバー部分（１０）を通って第１の表面（１１ａ）から一体的に張り出し、第２の側（１０ｂ）から突出し、直線状弱化スロット（１７）の少なくとも一部と平行に延在している少なくとも１つの直線状リブ要素（２４）を備える。【選択図】  図５
2021527003.tif 000002
【特許請求の範囲】
【請求項１】
注ぐことができる製品を含むように適合されており、包装材料（２）のシートから得られるパッケージ（１）のための開封装置（３）であって、
前記包装材料（２）が、少なくとも第１の層（４）と第２の層（５）とを備え、前記第１の層（４）を貫通して形成され、前記第２の層（５）のシートカバー部分（１０）によって覆われている貫通穴を有し、
前記開封装置（３）が、前記シートカバー部分（１０）の第１の側（１０ａ）に加えられた第１の表面（１１ａ）を有する壁部分（１１）を備え、
前記壁部分（１１）が、前記シートカバー部分（１０）とともに、前記パッケージ（１）の使用者が引き裂き可能な部分（１５）を画定し、
前記壁部分（１１）が、前記壁部分（１１）の厚さの一部に形成された直線状弱化スロット（１７）を備え、前記壁部分（１１）の前記第１の表面（１１ａ）の反対側の第２の表面（１１ｂ）で開いており、
前記直線状弱化スロット（１７）が、前記シートカバー部分（１０）の前記第１の側（１０ａ）とともに、前記使用者が引き裂き可能な部分（１５）の直線状弱化領域（１８、１８ａ）の境界を定め、
前記開封装置（３）が、前記壁部分（１１）の前記第１の表面（１１ａ）から前記シートカバー部分（１０）を通って一体的に張り出し、前記シートカバー部分（１０）の前記第１の側（１０ａ）の反対側の第２の側（１０ｂ）から突出し、使用時に、前記直線状弱化領域（１８、１８ａ）に沿って前記使用者が引き裂き可能な部分（１５）を引き裂くように引っ張られるように適合された、少なくとも１つの引張部材（２０）をさらに備える
開封装置（３）において、
前記シートカバー部分（１０）の少なくとも１つの貫通領域（２５）を生成するように、前記壁部分（１１）の前記第１の表面（１１ａ）から前記シートカバー部分（１０）を通って一体的に張り出す、少なくとも１つの直線状リブ要素（２４）を備え、
前記直線状リブ要素（２４）が、前記カバー部分（１０）の前記第２の側（１０ｂ）から突出し、前記直線状弱化スロット（１７）の少なくとも一部と平行に延在し、使用時、前記直線状弱化領域（１８、１８ａ）の少なくとも直線状弱化部分（１８）に沿って前記使用者が引き裂き可能な部分（１５）の引き裂きを促進するように構成されている
ことを特徴とする開封装置（３）。
【請求項２】
前記直線状リブ要素（２４）が、前記貫通領域（２５）において、前記シートカバー部分（１０）によって少なくとも部分的に覆われていない、
請求項１に記載の開封装置。
【請求項３】
前記直線状リブ要素（２４）が、前記壁部分（１１）の前記第１の表面（１１ａ）から張り出し、前記貫通領域（２５）を通って、前記シートカバー部分（１０）の前記第２の側（１０ｂ）から横断方向に突出し、前記直線状弱化スロット（１７）の少なくとも一部に続くように、前記壁部分（１１）上で延在する第１の壁（２６）を備え、
前記第１の壁（２６）が、前記シートカバー部分（１０）によって少なくとも部分的に覆われていない、
請求項２に記載の開封装置。
【請求項４】
前記第１の壁（２６）が、前記壁部分（１１）の前記第１の表面（１１ａ）とともに、鋭い角度の境界を定め、それによって、鋭い縁（２７）を画定し、前記鋭い縁（２７）が、前記直線状弱化スロット（１７）の少なくとも一部と平行に、前記第１の表面（１１ａ）上で延在し、使用時に、前記使用者が引き裂き可能な部分（１５）の前記直線状弱化部分（１８）に沿った引き裂きを促進するように構成されている、
請求項３に記載の開封装置。
【請求項５】
前記直線状弱化スロット（１７）が、略台形の断面を有し、
−  前記壁部分（１１）の前記第２の表面（１１ｂ）より、前記シートカバー部分（１０）の前記第１の側（１０ａ）に近い、ベース面（２８）と、
−  前記ベース面（２８）のそれぞれ両端側から前記壁部分（１１）の前記第２の表面（１１ｂ）の方へ横断方向に張り出す、第１の側面（２９）及び第２の側面（３０）と
を備え、
前記ベース面（２８）と、前記第１の側（１０ａ）と、前記鋭い縁（２９）とが前記直線状弱化部分（１８）の境界を定める、
請求項４に記載の開封装置。
【請求項６】
前記第１の壁（２６）及び前記ベース面（２８）が、前記壁部分（１１）内で、前記第１の壁（２６）から前記ベース面（２８）まで非直線経路に沿って、任意の可能な外部ガス剤を進ませるように、前記シートカバー部分（１０）を通して互いに対面する、
請求項５に記載の開封装置。
【請求項７】
前記直線状弱化部分（１８）が、使用時に、前記鋭い縁（２７）から前記ベース面（２８）の方へ、前記壁部分（１１）の前記第１の表面（１１ａ）に対して横断方向に延在する引き裂き線（３１）に沿って引き裂くように構成される、
請求項５又は６に記載の開封装置。
【請求項８】
前記直線状リブ要素（２４）が、前記第１の壁（２６）から横断方向に張り出し、前記壁部分（１１）の前記第１の表面（１１ａ）の方へ延在し、フィレット（３３）によって前記第１の表面（１１ａ）に滑らかに接続されている第２の壁（３２）をさらに備える、
請求項４〜７のいずれか一項に記載の開封装置。
【請求項９】
前記直線状リブ要素（２４）の前記第２の壁（３２）が、前記シートカバー部分（１０）によって覆われている、
請求項８に記載の開封装置。
【請求項１０】
前記シートカバー部分（１０）が、前記シートカバー部分（１０）の２つの部分を識別する軸（Ａ）を有し、
前記直線状弱化スロット（１７）が、
前記軸（Ａ）に対して対向する、前記壁部分（１１）のそれぞれの側で、前記軸（Ａ）と略平行な方向に沿って延在する、第１の縦方向部分（１７ａ）及び第２の縦方向部分（１７ｂ）と、
前記軸（Ａ）の横断方向に沿って延在し、前記第１の縦方向部分（１７ａ）及び前記第２の縦方向部分（１７ｂ）に接続する第３の横方向部分（１７ｃ）と
を備える、
請求項１〜９のいずれか一項に記載の開封装置。
【請求項１１】
前記壁部分（１１）の前記第１の表面（１１ａ）の前記軸（Ａ）に対する両側から一体的に張り出す一対の前記直線状リブ要素（２４）を備え、
前記一対の直線状リブ要素（２４）の一方の直線状リブ要素（２４）が、前記第１の縦方向部分（１７ａ）の少なくとも一部と平行に延在し、
前記一対の直線状リブ要素（２４）の他方の直線状リブ要素（２４）が、前記第２の縦方向部分（１７ｂ）の少なくとも一部と平行に延在する、
請求項１０に記載の開封装置。
【請求項１２】
前記引張部材（２０）、前記壁部分（１１）、及び前記少なくとも１つのリブ要素（２４）が、成形装置によって、プラスチック材料を前記シートカバー部分（１０）の前記第１の側（１０ａ）に成形することによって、一体構造として一体的に形成され、
前記シートカバー部分（１０）が、前記貫通領域（２５）を形成するように、成形中、前記プラスチック材料によって貫通される、
請求項１〜１１のいずれか一項に記載の開封装置。
【請求項１３】
前記壁部分（１１）の前記第１の表面（１１ａ）から前記シートカバー部分（１０）を通って一体的に張り出し、前記シートカバー部分（１０）の前記第２の側（１０ｂ）から突出し、前記使用者が引き裂き可能な部分（１５）が引き裂かれると、使用時、前記パッケージ（１）から出る前記注ぐことができる製品を導くように構成されている、少なくとも１つの注ぎ口（１２）をさらに備える、
請求項１〜１２のいずれか一項に記載の開封装置。
【請求項１４】
前記シートカバー部分（１０）が、前記第２の層（５）の一体部分であり、
前記直線状リブ要素（２４）が、前記包装材料（２）の前記第２の層（５）によって少なくとも部分的に覆われていない、
請求項１〜１３のいずれか一項に記載の開封装置。
【請求項１５】
注ぐことができる製品を含むように適合されており、少なくとも第１の層（４）と第２の層（５）とを有し、前記第１の層（４）を貫通して形成され、前記第２の層（５）のシートカバー部分（１０）によって覆われている貫通穴を有する包装材料（２）のシートから得られるパッケージ（１）であって、
前記パッケージ（１）が、請求項１〜１４のいずれか一項に記載され、前記貫通穴において包装材料（２）の前記シートに成形される開封装置（３）を備える、
パッケージ（１）。
【発明の詳細な説明】
【技術分野】
【０００１】
本発明は、注ぐことができる製品、特に、注ぐことができる食品製品を含むように適合されたパッケージのための開封装置に関する。
【背景技術】
【０００２】
一般に知られているように、フルーツジュース、ＵＨＴ（ｕｌｔｒａ−ｈｉｇｈ  ｔｅｍｐｅｒａｔｕｒｅ−ｔｒｅａｔｅｄ（超高温処理））ミルク、ワイン、トマトソースなど、多くの注ぐことができる食品製品は、滅菌された包装材料から作られたパッケージで販売されている。
【０００３】
典型的な例は、Ｔｅｔｒａ  Ｂｒｉｋ  Ａｓｅｐｔｉｃ（登録商標）として知られる、注ぐことができる食品製品用の平行六面体状のパッケージであり、これは包装材料の積層シートを折り曲げて密封することによって作られる。
【０００４】
特に、包装材料は、繊維材料、たとえば、紙、又は無機物充填ポリプロピレン材から作られてもよい、剛性及び強度のためのベース層と、ベース層の両側を覆うヒートシールプラスチック材料、たとえば、ポリエチレンフィルムから作られる複数の積層とを実質的に備える多層構造を有する。
【０００５】
ＵＨＴミルク又はフルーツジュースなどの長期保存製品用の無菌パッケージの場合、包装材料は、ガスバリア材料の層、たとえば、アルミニウム箔又はエチルビニルアルコール（ＥＶＯＨ）フィルムの層も備え、これは、ヒートシールプラスチック材料の層に重ね合わされ、次に、ヒートシールプラスチック材料の別の層で覆われる。ヒートシールプラスチック材料のこの別の層は、最終的に注ぐことができる食品製品に接触するパッケージの内面を形成する。
【０００６】
この種のパッケージは通常、完全自動包装機で製造され、連続したチューブが包装材料のシートから形成される。
【０００７】
さらにまた、包装材料のシートは、化学滅菌剤を適用することによって包装機で滅菌され、次いで、化学滅菌剤は、滅菌完了後に除去される。
【０００８】
その後、包装材料のシートは、閉鎖された滅菌環境内に維持され、チューブを形成するために縦方向に折り畳まれて、密封される。
【０００９】
形成作業を完了するために、このチューブは、上からパイプによって、注ぐことができる食品製品で充填され、形成され、密封され、その後、等間隔の横断面に沿って切断される。
【００１０】
それによって、縦方向密封バンドと、頂部横方向密封バンドと、底部横方向密封バンドとを有する枕状パックが得られ、枕状パックは次に機械的に折り畳まれて、それぞれの完成された略平行六面体状のパッケージを形成する。
【００１１】
上記のパッケージを開封するために、プラスチック材料から作られる開封装置が提案されてきた。
【００１２】
特に、広範な技術によって、開封装置は、いわゆる予め積層された穴、すなわち、ベース層のみを貫通して形成され、積層工程により、ガスバリア材料の層を含む包装材料の他の積層によって覆われた穴に直接、射出成形によって成形されることが知られている。
【００１３】
換言すれば、溶融プラスチック材料は、このような積層から作られる予め積層された穴のシートカバー部分に、その予め積層された穴を通して射出される。
【００１４】
代替的な解決方法によると、このようなシートカバー部分は、この場合、包装材料の全厚を通して形成された穴を閉じるように、包装材料に取り付けられたパッチによって画定されてもよい。
【００１５】
射出成形によって製造される開封装置の例は、欧州特許第Ｂ−２９５５１２２号明細書で知られている。この解決方法では、溶融プラスチック材料は、このような予め積層された穴をその環状周縁部分まで覆うために、シートカバー部分の第１の側（すなわち、最終的にパッケージの内部環境に面するシートカバー部分の側）に射出される。
【００１６】
このようにして、シートカバー部分の第１の側に直接取り付けられたプラスチック材料のコンフェッティ部分（ｃｏｎｆｅｔｔｉ  ｐｏｒｔｉｏｎ）が得られる。
【００１７】
さらにまた、シートカバー部分の第１の側に取り付けられたプラスチック材料のコンフェッティ部分は、シートカバー部分自体とともに、パッケージの使用者が引き裂き可能な部分を画定する。
【００１８】
成形中、プラスチック材料を、開封装置の形成に使用される成形装置の射出圧力及び幾何学的形状によって、シートカバー部分を貫通し、第１の側の反対側の、シートカバー部分の第２の側から突出するように、シートカバー部分に貫通させる。
【００１９】
より正確には、シートカバー部分を形成し、ベース層の穴を閉鎖する積層は、最初に、開封装置を形成するプラスチック材料によって穿孔され、次いで、それによって再び密封される。
【００２０】
詳細には、
−  シートカバー部分の第２の側から突出し、使用者が引き裂き可能な部分を引き裂き、パッケージを開けるように、使用者によって引っ張られるように適合された引張部材、欧州特許第Ｂ−２９５５１２２号明細書で示される例では、プルリングと、
−  同様にシートカバー部分の第２の側から突出し、パッケージを使用者の動作の下で空にするときに、パッケージから出る注ぐことができる製品を導くように構成された注ぎ口と
を形成するために、プラスチック材料をシートカバー部分に貫通させる。
【００２１】
欧州特許第Ｂ−２９５５１２２号明細書で説明されている構成では、注ぎ口は、シートカバー部分を囲むネジ付き円筒形首部として形づくられ、パッケージの再閉鎖を可能にする、知られているスクリューキャップを受けるように適合されている。
【００２２】
パッケージの開封を容易にするために、弱化スロットは、プラスチック材料で形成され、シートカバー部分によって、すなわち、積層によって覆われ、シートカバー部分の第１の側とともに、使用者が引き裂き可能な部分の弱化領域の境界を定めている。
【００２３】
このように、使用者は、パッケージの使用者が引き裂き可能な部分を、引張部材によって、簡単に引っ張って取り除くことができる。
【００２４】
しかしながら、使用者が引き裂き可能な部分を包装材料から分離するための機能的に有効な方法を提供し、パッケージを開けているが、知られている開封装置は依然として、さらなる改善の余地があり、それは特に、パッケージの開封をさらに容易にする、使用者が引き裂き可能な部分の適切できれいな切り裂き及び分離を実現するなどである。
【発明の概要】
【発明が解決しようとする課題】
【００２５】
したがって、本発明の目的は、確実且つ低コストな方法で上記要求の少なくとも１つを満たすように設計された開封装置を提供することである。
【課題を解決するための手段】
【００２６】
この目的は、請求項１に記載の開封装置によって達成される。
【００２７】
本発明のさらなる目的は、確実且つ低コストな方法で上記要求の少なくとも１つを満たすように設計されたパッケージを提供することである。
【００２８】
この目的は、請求項１５に記載のパッケージによって達成される。
【００２９】
本発明の非限定的な実施形態は、添付図面を参照して一例として説明される。
【図面の簡単な説明】
【００３０】
【図１】本発明による開封装置が成形される包装材料のシートから作られた、注ぐことができる製品を含むためのパッケージの断面図であり、明瞭にするために一部が取り除かれている。
【図２】開封装置がその上に成形される前の、図１の包装材料のシートの概略断面図である。
【図３】図１の開封装置の斜視図である。
【図４】図１の開封装置の底面図である。
【図５】図４の線Ｖ−Ｖに沿った断面であり、明瞭にするために一部が取り除かれている。
【発明を実施するための形態】
【００３１】
図１を参照すると、番号１は、包装材料２の多層シートから作られ、注ぐことができる製品を含むように適合され、プラスチック材料の開封装置３が加えられたパッケージを全体として示している。
【００３２】
特に、パッケージ１は、ミルク、水、フルーツジュース、又は同様のものなどの注ぐことができる食品製品を含むように適合されている。
【００３３】
示されている例では、開封装置３は、成形によって、好ましくは、パッケージ材料２の特定領域上にプラスチック材料を射出成形することによってパッケージ１に加えられる。
【００３４】
特に図２を参照すると、包装材料２は、繊維材料、たとえば、紙又は無機物充填ポリプロピレン材料から作られてもよい、剛性及び強度を提供するためのベース層４と、カバー層配置５とを備える。
【００３５】
詳細には、カバー層配置５は、第１のカバー層５ａと第２のカバー層５ｂとを備え、どちらも、ヒートシールプラスチック材料、たとえば、ポリエチレンフィルムから作られ、ベース層４の両面を覆っている。
【００３６】
長期保存食品用の無菌パッケージ１の場合、カバー層配置５は、ガスバリア材料、たとえば、アルミニウム箔又はエチルビニルアルコール（ＥＶＯＨ）フィルムから作られるバリア層６も備え、これは、第２のカバー層５ｂに重ね合わされ、次に、第１のカバー層５ａ及び第２のカバー層５ｂの同じヒートシールプラスチック材料から作られる、カバー層配置５の第３のカバー層５ｃで覆われる。
【００３７】
特に、第３のカバー層５ｃは、最終的に注ぐことができる食品製品を含むパッケージ１の内面を形成する。
【００３８】
換言すれば、第１のカバー層５ａ、第２のカバー層５ｂ、バリア層６、及び第３のカバー層５ｃは、連続的シートの形態で包装材料２を製造するときに、積層工程でベース層４に適用される積層を画定する。
【００３９】
包装材料２は、包装材料２の長さ方向に均等間隔で配置され、後に、それぞれの開封装置３が成形される複数の除去可能部分８（図２では１つのみ示されている）をさらに備える。
【００４０】
本明細書では、簡単にするために、成形装置（図示せず）によって、包装材料２のそれぞれの除去可能部分８に成形される単一の開封装置３を参照することとする。
【００４１】
示されているこの非限定的な好ましい実施形態によると、除去可能部分８は、いわゆる予め積層された穴９、すなわち、包装材料２のベース層４のみ貫通して形成され、カバー層配置５によって、すなわち、第１のカバー層５ａと、第２のカバー層５ｂと、バリア層６と、第３のカバー層５ｃとによって覆われた貫通穴によって画定される。
【００４２】
特に、予め積層された穴９は、上記積層から作られて、ベース層４に形成された貫通穴を閉じる、開封装置３のシートカバー部分１０を備える。
【００４３】
好ましくは、シートカバー部分１０は、カバー層配置５の一体部分である。
【００４４】
示されていない代替的な実施形態では、シートカバー部分１０は、第１のカバー層５ａ、第２のカバー層５ｂ、バリア層６、及び第３のカバー層５ｃのうちの１つ又は複数のみから作られてもよい。たとえば、シートカバー部分１０は、バリア層６だけで作られてもよい。
【００４５】
示されていない別の代替的な実施形態では、シートカバー部分１０は、この場合、包装材料２の全厚を通して形成された穴を覆うように、包装材料２に取り付けられたパッチによって画定されてもよい。
【００４６】
図３及び４で見ることができるように、シートカバー部分１０は、シートカバー部分１０の２つの部分を識別する軸Ａを有する。
【００４７】
示されている非限定的な例では、シートカバー部分１０は、略細長い形状を有し、主に軸Ａに沿って延在する。この直前の例では、軸Ａは、シートカバー部分１０の長手方向軸である。
【００４８】
詳細には、シートカバー部分１０は、異なるように延ばされた短辺と、軸Ａに平行な長辺とを有する、略長方形の形状を有する。
【００４９】
図１、４、及び５に示されるように、開封装置３は、シートカバー部分１０の第１の側１０ａ、すなわち、示されているこの好ましい実施形態では、パッケージ１が形成されると最終的にパッケージ１の内部環境に面する側に加えられる、特に、成形される第１の表面１１ａを有する壁部分１１をさらに備える。
【００５０】
特に、壁部分１１は、シートカバー部分１０とともに、パッケージ１を開けるために、使用者に引き裂かれるように構成される、パッケージ１の使用者が引き裂き可能な部分１５を画定する。
【００５１】
開封装置３は、引張部材、特に、壁部分１１の第１の表面１１ａから一体的に張り出し、シートカバー部分１０を貫通し、シートカバー部分１０の第１の側１０ａの反対側の第２の側１０ｂから突出するプルタブ２０をさらに備える。
【００５２】
より詳細には、プルタブ２０及び壁部分１１は、上記成形装置によって、プラスチック材料をシートカバー部分１０の第１の側１０ａに成形することによって、一体構造として一体的に形成される。
【００５３】
特に、成形中、成形装置によって加えられる圧力によって、且つ、（知られており、詳細には説明しない様式の）成形装置の幾何学的形状によって、プラスチック材料をシートカバー部分１０に貫通させ、それによって、プルタブ２０が通って突出する第１の貫通領域１３を作成する。使用時、プルタブ２０は、軸Ａに略平行な方向に使用者が引っ張って、使用者が引き裂き可能な部分１５を同じ方向に沿って引き裂くように適合されている。
【００５４】
示されている例では、プルタブ２０は、
−  壁部分１１の第１の表面１１ａから横断方向に張り出す湾曲部分２２と、
−  軸Ａ及び上記のシートカバー部分１０に略平行な方向に沿って湾曲部分２２から延在する直線部分２３と
を備え、略細長い、特に卵形の形状を有する。
【００５５】
詳細には、直線部分２３は、プルタブ２０の引っ張りを容易にするように、ユーザの最適な握りを保証するように構成された複数の溝２１を示す。
【００５６】
図１、３、４、及び５に示されるように、開封装置３は、壁部分１１の第１の表面１１ａから一体的に張り出し、シートカバー部分１０を貫通し、シートカバー部分１０の第２の側１０ｂから突出する注ぎ口１２も備える。
【００５７】
詳細には、壁部分１１及び注ぎ口１２は一体的に成形され、注ぎ口１２は、使用者が引き裂き可能な部分１５が使用者によって引き裂かれると、パッケージ１から出る注ぐことができる製品を導くように構成される。
【００５８】
より詳細には、成形中、成形装置によって加えられる圧力によって、且つ、（知られており、詳細には説明しない様式の）成形装置の幾何学的形状によって、プラスチック材料をシートカバー部分１０に貫通させ、それによって、注ぎ口１２が通って突出する、シートカバー部分１０の第２の貫通領域１４を作成する。
【００５９】
示されている例では、注ぎ口１２は、プルタブ２０の直線部分２３が延在する方向の反対方向に、壁部分１１の第１の表面１１ａから横断方向に張り出す湾曲壁１６によって画定される。
【００６０】
図１、４、及び５で見ることができるように、壁部分１１は、壁部分１１の厚さの一部に形成された直線状弱化スロット１７を備え、壁部分１１の第１の表面１１ａの反対側の第２の表面１１ｂで開いている。
【００６１】
詳細には、特に図４で見ることができるように、直線状弱化スロット１７は、略Ｕ字形であり、軸Ａに対して対称に壁部分１１内で延在する。
【００６２】
より詳細には、直線状弱化スロット１７は、軸Ａに対して対向する、壁部分１１のそれぞれの側で延在する、第１の縦方向部分１７ａ及び第２の縦方向部分１７ｂと、その両端で第１の縦方向部分１７ａ及び第２の縦方向部分１７ｂに接続する第３の横方向部分１７ｃとを備える。
【００６３】
より詳細には、第１の縦方向部分１７ａ及び第２の縦方向部分１７ｂは、軸Ａに略平行な方向に沿って延在し、第３の横方向部分１７ｃは、軸Ａの略横断方向に沿って延在する。
【００６４】
特に、直線状弱化スロット１７は、壁部分１１の第１の表面１１ａとともに、使用者が引き裂き可能な部分１５の直線状弱化領域１８、１８ａの境界を定める。
【００６５】
さらに、特に、第１の縦方向部分１７ａ及び第２の縦方向部分１７ｂは、第１の表面１１ａとともに、直線状弱化領域１８、１８ａのうちの直線状弱化部分１８（図５）の境界を定め、第３の横方向部分１７ｃは、第１の表面１１ａとともに、直線状弱化領域１８、１８ａのうちのさらなる直線状弱化部分１８ａ（図１）の境界を定める。
【００６６】
直線状弱化スロット１７が略Ｕ字形であるので、直線状弱化スロット１７及び第１の表面１１ａによって境界が定められている直線状弱化領域１８、１８ａは、同様に略Ｕ字形であり、直線状弱化スロット１７に略沿って、直線状弱化スロット１７の上を、壁部分１１内で延在する。
【００６７】
詳細には、直線状弱化領域１８、１８ａは、壁部分１１の総厚より小さい厚さを有する。このように、使用時、プルタブ２０を引っ張ることにより、直線状弱化領域１８、１８ａに沿って、使用者が引き裂き可能な部分１５が引き裂かれる。
【００６８】
より詳細には、さらなる直線状弱化部分１８ａは、使用時、プルタブ２０が使用者によって引っ張られると、さらなる直線状弱化部分１８ａの真上のシートカバー部分１０の部分とともに、最初に引き裂かれるものである。
【００６９】
本発明の重要な態様によると、開封装置３は、シートカバー部分１０のそれぞれの貫通領域２５、特に、直線状貫通領域２５を製造するように、壁部分１１の第１の表面１１ａからシートカバー部分１０を通って一体的に張り出す、一対の直線状リブ要素、特に、一対の直線状リブ２４を備える。
【００７０】
さらにまた、直線状リブ２４は、シートカバー部分１０の第２の側１０ｂから突出し、直線状弱化スロット１７の少なくとも一部と平行に延在し、使用時に、直線状弱化領域１８、１８ａに沿った、特に、以下でよりよく説明されるように、直線状弱化部分１８に沿った、使用者が引き裂き可能な部分１５の引き裂きを促進するように構成される。
【００７１】
詳細には、直線状リブ２４は、壁部分１１の第１の表面１１ａの、軸Ａに対する両側から、一体的に張り出す。
【００７２】
図５で見ることができるように、一方の直線状リブ２４は、直線状弱化スロット１７の第１の縦方向部分１７ａより上の、第１の縦方向部分１７ａに平行な第１の表面１１ａ上で延在し、他方の直線状リブ２４は、直線状弱化スロット１７の第２の縦方向部分１７ｂより上の、第２の縦方向部分１７ｂに平行な第１の表面１１ａ上で延在する。
【００７３】
示されているこの好ましい実施形態によると、各直線状リブ２４は、壁部分１１の第１の表面１１ａから張り出し、それぞれの貫通領域２５を通して、シートカバー部分１０の第２の側１０ｂから横断方向に突出し、直線状弱化スロット１７の少なくとも一部に続くように、壁部分１１上で延在する第１の壁２６を備える。
【００７４】
特に、一方の第１の壁２６は、直線状弱化スロット１７の第１の縦方向部分１７ａに続くように、第１の表面１１ａ上で延在し、他方の第１の壁２６は、第２の縦方向部分１７ｂに続くように、第１の表面１１ａ上で延在する。
【００７５】
本発明の別の態様によると、第１の壁２６は、シートカバー部分１０によって、したがって、カバー層配置５によって、少なくとも部分的に覆われていない。
【００７６】
より正確には、成形中、成形装置の圧力及び幾何学的形状によって、プラスチック材料をシートカバー部分１０に貫通させ、それによって、貫通領域２５を形成する。この工程中、各第１の壁２６は、第１の表面１１ａ、シートカバー部分１０の引き裂き前部分、及びシートカバー部分１０の持ち上げ部分から張り出す。このように、各直線状リブ２４の第１の壁２６は、シートカバー部分１０によって、すなわち、カバー層配置５から覆われていないままである。
【００７７】
図５で見ることができるように、各第１の壁２６は、平面直線状形状を有し、壁部分１１の第１の表面１１ａとともに、比較的鋭い角度の境界を定め、それによって、それぞれの鋭い縁２７を画定する。
【００７８】
詳細には、それぞれの鋭い縁２７は、直線状弱化スロット１７の少なくとも一部と平行に、第１の表面１１ａ上で延在し、使用時に、使用者が引き裂き可能な部分１５の直線状弱化部分１８に沿った引き裂きを促進するように構成される。
【００７９】
より詳細には、一方の鋭い縁２７は、直線状弱化スロット１７の第１の縦方向部分１７ａと平行に、第１の表面１１ａ上で延在し、他方の鋭い縁２７は、第２の縦方向部分１７ｂと平行に、第１の表面１１ａ上で延在する。
【００８０】
示されているこの非限定的な好ましい実施形態によると、直線状弱化スロット１７は、略台形の断面を有し、
−  壁部分１１の第２の表面１１ｂより、シートカバー部分１０の第１の側１０ａに近いベース面２８と、
−  ベース面２８のそれぞれ両端側から壁部分１１の第２の表面１１ｂの方へ横断方向に張り出す、第１の側面２９及び第２の側面３０と
を備える。
【００８１】
詳細には、第２の側面３０は、第１の側面２９より、比較的鋭い縁２７に近い。
【００８２】
より詳細には、第１の壁２６及びベース面２８は、壁部分１１を通して、第１の壁２６からベース面２８まで非直線経路に沿って、任意の可能な外部ガス剤を進ませるように、シートカバー部分１０を通して互いに対面する。
【００８３】
換言すれば、各直線状リブ２４、及び直線状弱化スロット１７のそれぞれの第１の縦方向部分１７ａ又は第２の縦方向部分１７ｂの相対的な位置決めにより、酸素などの任意の可能な外部ガス剤が、直線状弱化スロット１７、したがって、パッケージ１の内部環境に到達するために、迷宮状の経路に沿って進まなければならないことが保証される。
【００８４】
ベース面２８と、第１の側１０ａと、鋭い縁２７とは、直線状弱化部分１８の境界を定める。
【００８５】
特に、直線状弱化部分１８は、使用時に、壁部分１１内で、鋭い縁２７からベース面２８の方へ、壁部分１１の第１の表面１１ａに対して横断方向に延在する引き裂き線３１に沿って引き裂かれるように構成される。
【００８６】
好ましくは、引き裂き線３１は、鋭い縁２７から、直線状弱化スロット１７の第２の側面３０が張り出すベース面２８の端部側の方へ延在する。
【００８７】
実際には、直線状弱化スロット１７の構造のために、且つ、直線状弱化スロット１７及び直線状リブ２４の相対的な位置決めのために、引き裂き線３１は、直線状弱化部分１８のための好ましい誘導引き裂き線である。このようにして、使用者が引き裂き可能な部分１５のきれいな引き裂きを実現することができる。
【００８８】
特に図５で見ることができるように、各直線状リブ２４は、対応する第１の壁２６から横断方向に張り出し、壁部分１１の第１の表面１１ａの方へ延在する、それぞれの第２の壁３２をさらに備える。
【００８９】
詳細には、第２の壁３２は、湾曲形状を有し、フィレット３３によって第１の表面１１ａに滑らかに接続される。
【００９０】
特に、フィレット３３は、第２の壁３２と第１の表面１１ａと間に、第１の壁２６と第１の表面１１ａとの接続、すなわち、鋭い縁２７より滑らかな接続を与える。
【００９１】
より詳細には、第２の壁２６は、シートカバー部分１０によって、すなわち、カバー層配置５によって覆われる。
【００９２】
使用時、最初に、プルタブ２０が使用者によって引っ張られると、さらなる直線状弱化部分１８ａは、直線状弱化スロット１７の第３の横方向部分１７ｃの存在のために壊れる。したがって、使用者が引き裂き可能な部分１５は、パッケージ１から分離し始める。
【００９３】
次いで、引っ張り操作を続けると、鋭い縁２７の存在、及び、これらの鋭い縁２７と直線状弱化スロット１７との相対的な位置決めのために、使用者が引き裂き可能な部分１５は、直線状弱化部分１８に沿って裂け続ける。より詳細には、直線状弱化部分１８は、引き裂き線３１に沿って裂け、それによって、使用者が引き裂き可能な部分１５の誘導された適切できれいな引き裂きがもたらされる。
【００９４】
本発明による開封装置３の利点は、前述の説明から明らかであろう。
【００９５】
特に、直線状リブ２４の構成により、使用者が引き裂き可能な部分１５の引き裂きのための誘導引裂経路、すなわち、直線状弱化部分１８の引き裂き線３１が提供される。実際、破壊力学の知られている特性によると、使用者が分離可能な部分１５の引き裂きは、フィレット３３からではなく、鋭い縁２７から始まる。
【００９６】
さらにまた、第１の壁２６がカバー層配置５に覆われていないという事実により、パッケージ１の開封が始まるとき、シートカバー部分１０はすでに予め裂けている。このように、使用者が引き裂き可能な部分１５のプラスチック材料のみ引き裂かれなければならず、したがって、それによって使用者が引き裂き可能な部分１５の適切できれいな引き裂きを実現することができる。また、開封中のカバー層配置５の任意の可能な伸張が避けられる。
【００９７】
さらに、第１の壁２６が、カバー層配置５によって、すなわち、バリア層６で覆われておらず、酸素などの外部物質にさらされるにもかかわらず、直線状リブ２４及び直線状弱化スロット１７の特定の構成及び相対的な位置決めにより、パッケージ１の内部環境に入るこのような外部物質に迷宮形の経路を提供する。
【００９８】
明らかに、添付の特許請求の範囲で定義されている保護の範囲から逸脱することなく、本明細書に記載の開封装置３に変更を加えてもよい。
【００９９】
特に、直線状リブ２４は、シートカバー部分１０、すなわち、カバー層配置５に全く覆われなくてもよい。
【図１】
2021527003.tif 000003
【図２】
2021527003.tif 000004
【図３】
2021527003.tif 000005
【図４】
2021527003.tif 000006
【図５】
2021527003.tif 000007
【国際調査報告】
2021527003.tif 000008
2021527003.tif 000009